(57)【要約】    【課題】  合成ビームの光量低下、スポット径の劣化等を抑えることができるマルチビーム走査光学装置及びそれを用いた画像形成装置を得ること。    【解決手段】  出射光が直線偏光で偏光方向が同一方向に揃えて配置された複数の光源手段と複数の光束を合成するビーム合成手段と複数の光束を主走査方向に偏向する偏向手段と複数の光束を被走査面上に導光する結像光学手段とを有し、ビーム合成手段は複数のプリズムが貼り合わされた複合プリズムと複数の光源手段から出射した複数の光束のうち１つの光束が複合プリズムに入射するときの入射側に配置した１/２波長板と複数のプリズムが貼り合わされた面に偏光ビームスプリッタの機能を備えており、１/２波長板は入射光束が１/２波長板の法線に対して２度の範囲でずれた場合に１/２波長板の位相差変化が設計値の位相差（180度）から１２度以下となるように構成されていること。【選択図】    図１
2007140263.tif 000002
【特許請求の範囲】
【請求項１】
出射光が直線偏光で偏光方向が同一方向に揃えて配置された複数の光源手段と、該複数の光源手段から出射した複数の光束を合成するビーム合成手段と、該ビーム合成手段から出射した複数の光束を主走査方向に偏向する偏向手段と、該偏向手段で偏向された複数の光束を被走査面上に導光する結像光学手段と、を有するマルチビーム走査光学装置において、
該ビーム合成手段は、複数のプリズムが貼り合わされた複合プリズムと該複数の光源手段から出射した複数の光束のうち１つの光束が該複合プリズムに入射するときの入射側に配置した１/２波長板と、該複数のプリズムが貼り合わされた面に偏光ビームスプリッタの機能を備えており、
該１/２波長板は、入射光束が該１/２波長板の法線に対して２度の範囲でずれた場合に該１/２波長板の位相差変化が設計値の位相差（１８０度）から１２度以下となるように構成されていることを特徴とするマルチビーム走査光学装置。
【請求項２】
前記ビーム合成手段は主走査断面に平行な面内で回転調整可能な機構を有していることを特徴とする請求項１に記載のマルチビーム走査光学装置。
【請求項３】
前記１/２波長板に入射する光束と該１/２波長板の法線の成す入射角をδ（度）とするとき、
δ≦２２(度)
なる条件を満足することを特徴とする請求項１に記載のマルチビーム走査光学装置。
【請求項４】
前記１/２波長板は、複数枚の複屈折性の光学部材を、その進相軸と遅相軸との向きを一致するように交互に重ねて形成されていることを特徴とする請求項１に記載のマルチビーム走査光学装置。
【請求項５】
前記ビーム合成手段は光線出射側に１/４波長板を備え、該１/４波長板に入射する光束と該１/２波長板の法線の成す入射角をγ（度）とするとき、
γ≦２２(度)
なる条件を満足することを特徴とする請求項１乃至４の何れか１項に記載のマルチビーム走査光学装置。
【請求項６】
請求項１乃至５の何れか１項に記載のマルチビーム走査光学装置と、前記被走査面に配置された感光体と、前記マルチビーム走査光学装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５の何れか１項に記載のマルチビーム走査光学装置と、外部機器から入力したコードデータを画像信号に変換して前記マルチビーム走査光学装置に入力せしめるプリンタコントローラとを有していることを特徴とする画像形成装置。
【請求項８】
各々が請求項１乃至５の何れか１項に記載のマルチビーム走査光学装置の被走査面に配置され、互いに異なった色の画像を形成する複数の像担持体とを有することを特徴とするカラー画像形成装置。
【請求項９】
外部機器から入力した色信号を異なった色の画像データに変換して各々の光走査装置に入力せしめるプリンタコントローラを有していることを特徴とする請求項８に記載のカラー画像形成装置。
【発明の詳細な説明】
【技術分野】
【０００１】
本発明はマルチビーム走査光学装置及びそれを用いた画像形成装置に関し、例えばデジタル複写機やレーザビームプリンタやマルチファンクションプリンター（多機能プリンタ）等の画像形成装置に好適なものである。
【背景技術】
【０００２】
従来よりデジタル複写機やレーザビームプリンタやマルチファンクションプリンター等の走査光学装置では走査の高速化が種々と行われている。このうち複数の光束を同時に被走査面上に導光し、副走査方向に所定の間隔で結像させ、複数の走査線を同時に形成して走査の高速化を実現する「マルチビーム走査光学装置」が知られている。
【０００３】
ここで複数の光束の生成法としては、複数の発光点を微小間隔に集積したモノリシックなマルチビームレーザを用いる方式がある。この他、複数の光源(レーザー)から出射した複数の光束をビーム合成手段(合成光学系)を用いて略同一方向に出射するように合成する方式がある。
【０００４】
前者の方式は発光点を微小間隔で集積するため発光点の位置決め精度が高く、ビーム間の相対的なずれによる走査線間隔のずれが少ない。
【０００５】
しかしながら発光点の集積化により相互の熱的、電気的な干渉が発生するため、ビーム品質を安定させることが難しく、集積できる発光点の数に限度がある。
【０００６】
一方、後者は複数の独立した光源から出射した複数の光束を合成光学系で合成し近接して合成できるため、該光源を微小間隔で集積するのと同等の効果が得られる。また光源の数にも制限は無くマルチ化による高速化という点で有利である。
【０００７】
一般にマルチビーム走査光学装置において良好なる光走査を実現するには被走査面上を走査する走査線の副走査方向の間隔を一定にしなければならない。特にビーム合成手段では光源とコリメータレンズとが相対的に副走査方向にずれたり、または光源とコリメータレンズの複数のペアが相対的に副走査方向へ傾くような姿勢変化が生じることがある。このような場合は複数の走査線の各走査線間隔が異なり、画像が劣化してしまうという問題点が生じてくる。
【０００８】
このため合成光学系を用いる方式では走査線の間隔を初期調整において、十分な精度で所定の走査線間隔に合わせることができる機構(調整手段)が必要である。また機械的な振動や昇温などの環境変化による走査線間隔の経時変化に対しても走査線間隔を所定の範囲に維持するための機構が必要である。
【０００９】
このような課題に対して本出願人は先に調整敏感度の異なる調整機構を有するマルチビーム走査光学装置を提案している(特許文献１参照)。
【００１０】
特許文献１は合成ビームの利用効率を揃えるために合成する複数の半導体レーザから出射される光束の偏光方向を揃えている。そして集束レンズ(コリメータレンズ)で変換された収束光束または発散光束をビーム合成手段としての複合プリズム(合成プリズム）に入射させている。複合プリズムは２つのプリズムが張り合わされて構成されている。そして張り合わせ面に偏光ビームスプリッタとして機能する多層膜が形成されており(以下、この張り合わせ面を「偏光ビームスプリッタ面」と称す。)、Ｐ偏光を透過させ、Ｓ偏光を反射させて光束を合成している。そのために複合プリズムでは、一方の光束の偏光方向を９０度回転させるために複合プリズムの２つの光線入射面のうち一方の光線入射面側に１／２波長板を備えている。
【００１１】
さらに複合プリズムから出射する光束の偏光特性を揃えるために光線出射側に１／４波長板を備えている。これによって直線偏光を円偏光に変換して出射している。
【００１２】
特許文献１における走査線間隔（ライン間隔）の調整はビーム合成手段としての複合プリズムを所定方向へ回転させることで、該複合プリズムから出射する複数の光束に副走査方向の高さの差を与えている。これにより走査線間隔を精度良く調整している。
【特許文献１】特開２００４-１６３７４０号公報
【発明の開示】
【発明が解決しようとする課題】
【００１３】
特許文献１では集束レンズから射出した収束光束または発散光束が複合プリズムの一方の光線入射面側に配された波長板に入射する。このため、該波長板に入射する光束の周辺光束はある角度（入射角≠0度）をもって入射する、即ち周辺光束は波長板に垂直入射しない。
【００１４】
また光源(レーザー)が複数の発光点を有するモノリシックな光源を用いた場合は、集束レンズの光軸上にない光源が存在する。この光源からの光束は波長板へ垂直入射しない。さらに複数の発光点からの光束は書き出し位置タイミングをとるためにそれぞれ被走査面上において主走査方向に異なる位置に結像するよう調整されている。よって単一の発光点を有する光源を用いた場合でも集束レンズの光軸上にない発光点がどうしても存在してしまうので波長板へ垂直入射しない光束が発生する。
【００１５】
さらに複合プリズムを主走査方向に平行な軸回りに回転して走査線間隔を調整する。このため、その調整により、該複合プリズムと一体化された波長板への入射光束は垂直入射の条件から外れてくる。
【００１６】
一般に波長板は垂直入射する光束（入射角=0度）に対して所望の位相差が生じて出射するように設計、製造されているので入射角がδ（δ≠0度）の光束は所望の位相差からずれてくる。例えば１/２波長板は通過光束に位相差が180度（=λ/2）生ずるように設計されている。このため直線偏光を偏光方向が波長板の光学軸（進相軸または遅相軸）に対して45゜傾けて垂直入射させると90゜回転した直線偏光へ変換される。入射角δで入射する光束に対しては波長板を通過したときの位相差が(180+α）度(尚、αは位相差変化量)となり、90゜方向の直線偏光からわずかにずれた楕円偏光に変換される。この結果、複合プリズムの偏光ビームスプリッタ面を透過または反射する光束の光量損失ΔＰ（％）はΔＰ=（Sinα）2となる。
【００１７】
光走査装置において収束光束または発散光束が波長板を透過する場合は１光束中において、このような光学的作用を受けるため周辺光束の光強度が低下し、被走査面における結像スポット径が大きくなる等の問題点が生じてくる。
【００１８】
本発明は合成ビームの光量低下、スポット径の劣化等を抑えることができるマルチビーム走査光学装置及びそれを用いた画像形成装置の提供を目的とする。
【課題を解決するための手段】
【００１９】
請求項１の発明のマルチビーム走査光学装置は、
出射光が直線偏光で偏光方向が同一方向に揃えて配置された複数の光源手段と、該複数の光源手段から出射した複数の光束を合成するビーム合成手段と、該ビーム合成手段から出射した複数の光束を主走査方向に偏向する偏向手段と、該偏向手段で偏向された複数の光束を被走査面上に導光する結像光学手段と、を有するマルチビーム走査光学装置において、
該ビーム合成手段は、複数のプリズムが貼り合わされた複合プリズムと該複数の光源手段から出射した複数の光束のうち１つの光束が該複合プリズムに入射するときの入射側に配置した１/２波長板と、該複数のプリズムが貼り合わされた面に偏光ビームスプリッタの機能を備えており、
該１/２波長板は、入射光束が該１/２波長板の法線に対して２度の範囲でずれた場合に該１/２波長板の位相差変化が設計値の位相差（１８０度）から１２度以下となるように構成されていることを特徴としている。
【００２０】
請求項２の発明は請求項１の発明において、
前記ビーム合成手段は主走査断面に平行な面内で回転調整可能な機構を有していることを特徴としている。
【００２１】
請求項３の発明は請求項１の発明において、
前記１/２波長板に入射する光束と該１/２波長板の法線の成す入射角をδ（度）とするとき、
δ≦２２(度)
なる条件を満足することを特徴としている。
【００２２】
請求項４の発明は請求項１の発明において、
前記１/２波長板は、複数枚の複屈折性の光学部材を、その進相軸と遅相軸との向きを一致するように交互に重ねて形成されていることを特徴としている。
【００２３】
請求項５の発明は請求項１乃至４の何れか１項の発明において、
前記ビーム合成手段は光線出射側に１/４波長板を備え、該１/４波長板に入射する光束と該１/２波長板の法線の成す入射角をγ（度）とするとき、
γ≦２２(度)
なる条件を満足することを特徴としている。
【００２４】
請求項６の発明の画像形成装置は、
請求項１乃至５の何れか１項に記載のマルチビーム走査光学装置と、前記被走査面に配置された感光体と、前記マルチビーム走査光学装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【００２５】
請求項７の発明の画像形成装置は、
請求項１乃至５の何れか１項に記載のマルチビーム走査光学装置と、外部機器から入力したコードデータを画像信号に変換して前記マルチビーム走査光学装置に入力せしめるプリンタコントローラとを有していることを特徴としている。
【００２６】
請求項８の発明のカラー画像形成装置は、
各々が請求項１乃至５の何れか１項に記載のマルチビーム走査光学装置の被走査面に配置され、互いに異なった色の画像を形成する複数の像担持体とを有することを特徴としている。
【００２７】
請求項９の発明は請求項８の発明において、
外部機器から入力した色信号を異なった色の画像データに変換して各々の光走査装置に入力せしめるプリンタコントローラを有していることを特徴としている。
【発明の効果】
【００２８】
本発明によれば合成ビームの光量低下、およびスポット径の劣化等を抑えることができるマルチビーム走査光学装置及びそれを用いた画像形成装置を達成することができる。
【発明を実施するための最良の形態】
【００２９】
以下、図面を用いて本発明の実施例を説明する。
【実施例１】
【００３０】
図１（Ａ）は本発明の実施例１の主走査方向の要部断面図（主走査断面図）、図１（Ｂ）は図１（Ａ）の副走査方向の要部断面図（副走査断面図）である。図２（Ａ）は図１（Ａ）に示した光学ユニット(マルチビーム光源ユニット)の主走査方向の要部断面図、図２（Ｂ）は図２（Ａ）の副走査方向の要部断面図である。
【００３１】
尚、以下の説明において、主走査方向とは回転多面鏡の回転軸及び結像光学系の光軸に垂直な方向（回転多面鏡で光束が反射偏向（偏向走査）される方向）である。副走査方向とは回転多面鏡の回転軸と平行な方向である。また主走査断面とは主走査方向と結像光学系の光軸を含む平面である。また副走査断面とは主走査断面と垂直な断面である。
【００３２】
図中、３１は光源ユニットであり、副走査方向に所定の間隔で並んで配置された第１、第２の２つの光源手段１，２と、２つの集束光学素子（集束レンズ）３，４を有する第１の光学系３３とを有している。本実施例では第１、第２の２つの光源手段１，２と２つの集束レンズ３，４は一体化されて構成されている。尚、光源手段及びそれに対応する集束光学素子は３つ以上でも良い。
【００３３】
第１、第２の光源手段１，２は各々半導体レーザより成り、共に図１（Ａ）の紙面と平行方向に直線偏光（Ｐ偏光）を出射するように配置している。
【００３４】
第１の光学系３３を構成する集束レンズ３、４は各々対応する第１、第２の光源手段１，２から出射した光束を発散光束もしくは収束光束に変換している。本実施例では２つの集束レンズ３、４の光軸Ｌが互いに平行になるように配置している。
【００３５】
５は開口絞りであり、入射光束を制限している。本実施例ではこの開口絞り５により光束を絞り、光束が不要な領域に出射しないようにしてフレアや散乱光が発生するのを防いでいる。
【００３６】
６は１/２波長板であり、後述する平行プリズム７の入射面７ａに配置されており、図３に示すように第１の光源手段１から出射した光束（Ｐ偏光）の偏光方向を紙面と垂直方向の直線偏光（Ｓ偏光）に変換している。
【００３７】
本実施例における１/２波長板６は、垂直入射光に対する設計上の基準位相差を１８０゜とするとき、光線入射角±２度の範囲において、基準位相差からの位相差変化が±１２度以下となるように形成されている。またこの１/２波長板６は、例えば２枚の複屈折性の光学部材を、その進相軸(光学軸)と遅相軸(光学軸)との向きを一致するように交互に重ねて形成されている。
【００３８】
９はビーム合成手段(合成光学系)としての複合プリズム(合成プリズム)であり、光源ユニット３１内の２つの光源１，２を出射した２つの光束を近接した２つの光束に合成している。本実施例におけるビーム合成手段９は平行プリズム７と三角プリズム８とが張り合わされた複合プリズムを有している。この平行プリズム７と三角プリズム８とが張り合わされた面７ｃには図３に示すように紙面に垂直な直線偏光（Ｓ偏光）を反射し、紙面に平行な直線偏光(Ｐ偏光)を透過する偏光ビームスプリッタとして機能する多層膜が形成されている。本実施例では平行プリズム７の射出面７ｄと三角プリズム８の入射面８ａとが互いに平行と成るように構成している。
【００３９】
２６，３０は各々第１、第２の調整手段であり、後述する第２の光学系としてのレンズ系（シリンドリカルレンズ）１５に入射する２つの光束の各主光線の副走査方向の相対的間隔を変化させている。第１、第２の調整手段２６，３０は互いに異なる敏感度を有している。
【００４０】
尚、敏感度とは単位回転角とそれに対する副走査方向のビーム位置の移動量との比のことである。
【００４１】
第１の調整手段２６は、光源ユニット３１を集束レンズ３、４の光軸Ｌと平行な軸を回転軸として回転調整している。これにより第１、第２の光源手段１，２から出射した２つの光束の主光線の副走査方向の相対的間隔を変化させて、組み立て誤差等で生じる走査線間隔誤差を初期調整している。
【００４２】
第２の調整手段３０は、駆動機構を構成する駆動モータ２７、駆動手段２８、そして制御手段２９を有し、複合プリズム９を後述する走査線間隔検出手段２２からの信号により、該駆動機構で自動制御している。そして所定の走査線間隔が保持できるように主走査方向と平行な軸１０を回転軸として回転調整することにより、環境変動や組立誤差による走査線間隔誤差を自動補正している。
【００４３】
尚、複合プリズム９の回転は三角推状のネジを送ることにより、該複合プリズム９を保持するアームの高さを変える機構により所望の敏感度を確保し、十分な精度の初期調整を可能とする。
【００４４】
１１は１/４波長板であり、平行プリズム７の出射面７ｄに配置されており、図３に示すように偏光ビームスプリッタ面７ｃで合成された直交するＰ偏光とＳ偏光の２つの直線偏光を逆回りの２つの円偏光（右円偏光と左円偏光）に変換する機能を有している。合成されたビームを円偏光に変換しておくと偏向走査後に通過する光学部品の透過率、反射率の相対差を減少させ、被走査面上の同一像高に到達する２ビームの光量を揃えることができる。
【００４５】
尚、１/２波長板６、平行プリズム７、三角プリズム８、偏光ビームスプリッタ面７ｃ、１/４波長板１１等の各要素はビーム合成手段９の一要素を構成している。
【００４６】
また光源ユニット３１、開口絞り５、ビーム合成手段９等の各要素は光学ユニット３２の一要素を構成している。
【００４７】
１３は負の屈折力を有する負レンズであり、光学ユニット３２を射出した光束を発散光束としている。１４は開口絞りであり、通過光束を規制してビーム形状を成形している。１５は第２の光学系としてのレンズ系（シリンドリカルレンズ）であり、副走査方向にのみ所定の屈折力を有している。１６は折り返しミラーであり、シリンドリカルレンズ１５を通過した光束の光路を光偏向器１７側へ折り曲げている。１７は偏向手段としてのポリゴンミラー（光偏向器）であり、モータ等の駆動手段（不図示）により図中矢印Ａ方向に一定速度で回転している。
【００４８】
２４は第３の光学系としての結像光学系であり、第１、第２のｆθレンズ１８，１９を含むｆθレンズ系２３とプラスチック材より成る長尺のシリンドリカルレンズ（長尺シリンドリカルレンズ）２０とを有している。本実施例における第１のｆθレンズ１８は球面形状の負レンズより成っている。第２のｆθレンズ１９は主に主走査方向に屈折力を有するシリンドリカルレンズより成っている。ｆθレンズ系２３はｆθ特性と主走査方向の像面湾曲を有効走査領域にわたって良好に補正している。長尺シリンドリカルレンズ２０は主に副走査方向に屈折力を有しており、ポリゴンミラー１７の偏向面１７ａと被走査面２１とを副走査断面内において共役関係にしている。これにより偏向面の面倒れによって被走査面としての感光ドラム面２１上の照射位置がズレ、画像ピッチムラになることを防いでいる。また長尺シリンドリカルレンズ２０は感光ドラム面２１上における副走査方向の像面湾曲を抑え、かつ倍率を略一定に保ってスポット径の変動を抑えている。
【００４９】
２１は被走査面としての感光ドラム面である。
【００５０】
２２は走査線間隔検出手段であり、被走査面２１近傍の走査領域外に設けており、走査線間隔（被走査面上に結像する複数の光束の副走査方向の間隔）を検出している。本実施例では走査線間隔検出手段２２からの信号（誤差信号）に基づいて第２の調整手段３０が複合プリズム９を回転させることにより走査線間隔を自動的に調整し、常に所定の走査線間隔が保たれるようにしている。
【００５１】
ここで走査線間隔検出手段２２は、例えば特開２０００−１８０７４５号公報で開示されている方法が適用できる。
【００５２】
また走査線間隔検出手段２２は被走査面２１上の走査開始のタイミングを２つの光束毎に制御する同期信号検出手段としての機能も兼ねており、これにより保持部品などを削減でき、部品点数の削減を図っている。
【００５３】
本実施例において第１の光源手段１から出射した光束（Ｐ偏光）は集束レンズ３により発散光束もしくは収束光束に変換され、絞り５により制限され、１/２波長板６により紙面内の直線偏光（Ｓ偏光）に変換され、平行プリズム７の入射面７ａから入射する。そして入射面７ａから入射した光束は反射面７ｂ、そして偏光ビームスプリッタ面７ｃで反射され、出射面７ｄから入射光束と平行な方向から出射する。
【００５４】
一方、第２の光源手段２から出射した光束（Ｐ偏光）は集束レンズ４により発散光束もしくは収束光束に変換され、絞り５により制限されて三角プリズム８の入射面８ａから入射する。そして入射面８ａから入射した光束は偏光ビームスプリッタ面７ｃを透過し、平行プリズム７の出射面７ｄから出射する。
【００５５】
そしてビーム合成手段９で合成された直交する２つの直線偏光は各々１/４波長板１１により逆回りの２つの円偏光に変換され、負レンズ１３を通って発散光束に変換され、絞り１４によって制限され、シリンドリカルレンズ１５を透過する。そしてシリンドリカルレンズ１５を透過した２つの光束は折り返しミラー１６で折り曲げられ、第２、第１のｆθレンズ１９，１８の光軸上（ポリゴンミラーの偏向角の中央）からポリゴンミラー１７に入射する（正面入射）。
【００５６】
２つの入射光束は図１（Ｂ）に示すように副走査断面内においてθ／２の角度をもってポリゴンミラー１７の偏向面１７ａへ入射し、第１、第２のｆθレンズ１８，１９に偏向走査の前後で２回透過する。
【００５７】
主走査断面内においてポリゴンミラー１７の偏向面１７ａへ入射する２つの光束は第２、第１のｆθレンズ１９、１８を透過することによって平行光束に変換され、偏向面１７ａより広い光束幅となって入射する。このように入射光束幅がポリゴンミラー１７の偏向面１７ａより広く、入射光束の中を偏向面が移動する走査方式はオーバーフィルド走査光学系（ＯＦＳ走査光学系）と呼ばれる。
【００５８】
オーバーフィルド走査光学系ではポリゴンミラー１７の１偏向面が主走査方向の光束幅を制限する絞りとなり、絞り１３の代わりとなる。即ち、ポリゴンミラー１７の偏向面１７ａが絞りと一致する２ビーム間のジッターや２ビームの副走査方向の間隔差に対して理想的な絞りとして作用する。
【００５９】
ポリゴンミラー１７で反射され偏向走査された２つの光束は第１、第２のｆθレンズ１８，１９、長尺シリンドリカルレンズ２０により被走査面２１上にスポットとして各々結像し略等速度で走査される。長尺シリンドリカルレンズ２０は主に副走査方向に結像する機能を有し、入射する２ビームを被走査面２１上に所定の走査線間隔で結像させている。
［数値実施例］
表１に本実施例におけるマルチビーム走査光学装置の光学系の諸特性を示す。表１にはポリゴンミラー（１０）から被走査面（１２）までの光学系の構成を示した。表１において面番号は偏向器側から数えたレンズ面の番号、ｒは曲率半径で特にｒｍは主走査方向の曲率半径、ｒｓは副走査方向の曲率半径を示す。ｄは主走査断面上における次の面までの距離、ｎは屈折率。５ｓ、６ｓは非球面係数D2で表現される非球面である。非球面のは式、ｒ（ｙ）＝ｒｏ（1+D2*y2）で定義され、ｒｏは光軸上の曲率半径、ｒ（ｙ）は主走査方向の位置ｙにおける曲率半径である。
【００６０】
【表１】
2007140263.tif 000003
【００６１】
１/２波長板に入射する光束と１/２波長板の法線の成す入射角をδ（度）と定義する。
【００６２】
本実施例においては上記の如く入射角δ（δ≠0度）で１/２波長板６に入射する光束に対して、該１/２波長板６の位相差は(180+α）度となり、出射光が90゜方向の直線偏光からわずかにずれた楕円偏光に変換される。この結果、複合プリズム９の偏光ビームスプリッタ面7cを透過または反射する光束の光量損失ΔＰは（Sinα）2となる。
【００６３】
そこで本実施例では１/２波長板６の位相差の変化が入射角±２度において基準位相差より±１２度以下となるように構成することにより、合成ビームの光量低下、およびスポット径の劣化等を抑えている。
【００６４】
この１/２波長板６は上述の如く２枚の複屈折性の光学部材を、その進相軸(光学軸)と遅相軸(光学軸)との向きを一致するように交互重ねて形成すれば達成できる。
【００６５】
次に１／２波長板６の位相差の入射角依存性について図４を用いて説明する。
【００６６】
基準入射角（0度）とは、１/２波長板６へ光線が垂直に入射する形態と定義される。
【００６７】
つまり、１/２波長板６に入射する光線が１/２波長板６の法線と同一方向である場合、基準入射角（0度）となる。
【００６８】
図４は本発明の実施例１において１/２波長板６への基準入射角（0度）からのずれたときの入射角に対する位相差の変化を示したグラフである。同図において縦軸は位相差の変化量α（rad）、横軸は１/２波長板６に入射する基準入射角からのずれた光線入射角δ(度)である。
【００６９】
同図において位相差の変化量αは、直線近似により（線形性）、
α＝0.01δ
と表現できる。
ここで光量損失をΔＰとするとき、
ΔＰ＝（sinα）2
≒α2
と表わせるから、
ΔＰ＝(0.01δ)2
となる。光量損失ΔＰは５％を許容値とすると、
（0.01δ）2≦0.05
となる。よって入射角δ（度）は、
δ≦22（度）
となり、22度まで許容できる。
【００７０】
また位相差の変化量αは、度で表すと、
α≦12.6（度）
となり、12.6度まで許容できる。
【００７１】
本実施例において走査線間隔調整に対する複合プリズム９の回転角の敏感度は18μm/1度である。
【００７２】
複合プリズム９の回転角を入射角で考えると、該複合プリズム９による走査線間隔調整は0.4mmまで可能となり、合成ビームの間隔を補正するには十分な調整範囲を確保することができる。
【００７３】
尚、参考までに単板タイプの１/２波長板の位相差の変化量αは、
α＝0.1δ
である。したがって光量損失５％を許容する複合プリズムの回転角は、
（0.1δ）2≦0.05
となる。よって入射角δ（度）は、
δ≦2.2（度）
となる。位相差の変化量αは、度で表すと、
α≦12.6（度）
となり、プリズム回転調整に置き換えると0.04mmまでしか調整できないことになる。
【００７４】
ただし、位相差の変化は１２度以下の使用条件であれば光量損失ΔＰは５％以下を満足することができる。
【００７５】
更に本実施例では１/４波長板１１に入射する光束の光線入射角をγ（度）とするとき、
γ≦２２（度）
なる条件を満足させている。これにより合成ビームの光量低下、およびスポット径の劣化等を抑えている。
【００７６】
このように本実施例においては上記の如く１/２波長板６の位相差の変化が入射角±２度の変化において位相差180゜±12度以下となるように波長板を構成することにより、合成ビームの光量低下、およびスポット径の劣化等を抑えることができる。
【００７７】
［画像形成装置］
図５は、本発明の画像形成装置の実施例を示す副走査方向の要部断面図である。図において、符号１０４は画像形成装置を示す。この画像形成装置１０４には、パーソナルコンピュータ等の外部機器１１７からコードデータDｃが入力する。このコードデータDｃは、装置内のプリンタコントローラ１１１によって、画像データ（ドットデータ）Dｉに変換される。この画像データDｉは、実施例１に示した構成を有する光走査ユニット（マルチビーム走査光学装置）１００に入力される。そして、この光走査ユニット１００からは、画像データDｉに応じて変調された複数の光ビーム１０３が射出され、この複数の光ビーム１０３によって感光ドラム１０１の感光面が主走査方向に走査される。
【００７８】
静電潜像担持体（感光体）たる感光ドラム１０１は、モータ１１５によって時計廻りに回転させられる。そして、この回転に伴って、感光ドラム１０１の感光面が複数の光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査ユニット１００によって走査される複数の光ビーム１０３が照射されるようになっている。
【００７９】
先に説明したように、複数の光ビーム１０３は、画像データDｉに基づいて変調されており、この複数の光ビーム１０３を照射することによって感光ドラム１０１の表面に静電潜像を形成せしめる。この静電潜像は、上記複数の光ビーム１０３の照射位置よりもさらに感光ドラム１０１の回転方向の下流側で感光ドラム１０１に当接するように配設された現像器１０７によってトナー像として現像される。
【００８０】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図５において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【００８１】
以上のようにして、未定着トナー像を転写された用紙１１２はさらに感光ドラム１０１後方（図５において左側）の定着器へと搬送される。定着器は内部に定着ヒータ（図示せず）を有する定着ローラ１１３とこの定着ローラ１１３に圧接するように配設された加圧ローラ１１４とで構成されており、転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【００８２】
図５においては図示していないが、プリントコントローラ１１１は、先に説明したデータの変換だけでなく、モータ１１５を始め画像形成装置内の各部や、後述する光走査ユニット内のポリゴンモータなどの制御を行う。
【００８３】
［カラー画像形成装置］
図６は本発明の実施例のカラー画像形成装置の要部概略図である。本実施例は、光走査装置（マルチビーム走査光学装置）を４個並べ各々並行して像担持体である感光ドラム面上に画像情報を記録するタンデムタイプのカラー画像形成装置である。図６において、２６０はカラー画像形成装置、２１１，２１２，２１３，２１４は各々実施例１に示した構成を有する光走査装置、２１１，２１２，２１３，２１４は各々像担持体としての感光ドラム、２３１，２３２，２３３，２３４は各々現像器、５１は搬送ベルトである。
【００８４】
図６において、カラー画像形成装置２６０には、パーソナルコンピュータ等の外部機器２５２からＲ（レッド）、Ｇ（グリーン）、Ｂ（ブルー）の各色信号が入力する。これらの色信号は、装置内のプリンタコントローラ２５３によって、Ｃ（シアン），Ｍ（マゼンタ），Ｙ（イエロー）、Ｂ（ブラック）の各画像データ（ドットデータ）に変換される。これらの画像データは、それぞれ光走査装置２１１，２１２，２１３，２１４に入力される。そして、これらの光走査装置からは、各画像データに応じて変調された光ビーム２４１，２４２，２４３，２４４が射出され、これらの光ビームによって感光ドラム２２１，２２２，２２３，２２４の感光面が主走査方向に走査される。
【００８５】
本実施例におけるカラー画像形成装置は光走査装置（２１１，２１２，２１３，２１４）を４個並べ、各々がＣ（シアン），Ｍ（マゼンタ），Ｙ（イエロー）、Ｂ（ブラック）の各色に対応し、各々平行して感光ドラム２２１，２２２，２２３，２２４面上に画像信号（画像情報）を記録し、カラー画像を高速に印字するものである。
【００８６】
本実施例におけるカラー画像形成装置は上述の如く４つの光走査装置２１１，２１２，２１３，２１４により各々の画像データに基づいた光ビームを用いて各色の潜像を各々対応する感光ドラム２２１，２２２，２２３，２２４面上に形成している。その後、記録材に多重転写して１枚のフルカラー画像を形成している。
【００８７】
前記外部機器２５２としては、例えばＣＣＤセンサを備えたカラー画像読取装置が用いられても良い。この場合には、このカラー画像読取装置と、カラー画像形成装置２６０とで、カラーデジタル複写機が構成される。
【図面の簡単な説明】
【００８８】
【図１】本発明の実施例１の主走査断面図及び副走査断面図
【図２】本発明の実施例１の光学ユニットの主走査断面図及び副走査断面図
【図３】本発明の実施例１の複合プリズムの構成を示す図
【図４】本発明の実施例１の１／２波長板の位相差の入射角依存性を示す図
【図５】本発明の画像形成装置の実施例を示す副走査断面図
【図６】本発明のカラー画像形成装置の実施例を示す副走査断面図
【符号の説明】
【００８９】
１、２  半導体レーザ
３、４  集束光学素子
５      開口絞り
６      １/２波長板
７、８  プリズム
９      ビーム合成手段（複合プリズム）
１１    １/４波長板
１３    凹レンズ
１４    絞り
１５    レンズ系（シリンドリカルレンズ）
１６    ミラー
１７    偏向手段（ポリゴンミラー）
１８、１９、２０    結像レンズ
２１    被走査面
２２    走査線間隔検出手段
２６    第１の調整手段
３０    第２の調整手段
３１    光源ユニット
３２    光学ユニット
３３    第１の光学系
１００  マルチビーム走査光学装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モータ
１１６  排紙ローラ
１１７  外部機器
２１１、２１２、２１３、２１４  マルチビーム走査光学装置
２２１、２２２、２２３、２２４  像担持体（感光ドラム）
２３１、２３２、２３３、２３４  現像器
２４１  搬送ベルト
２５１  マルチビームレーザー
２５２  外部機器
２５３  プリンタコントローラ
２６０  カラー画像形成装置
【図１】
2007140263.tif 000004
【図２】
2007140263.tif 000005
【図３】
2007140263.tif 000006
【図４】
2007140263.tif 000007
【図５】
2007140263.tif 000008
【図６】
2007140263.tif 000009